(57)【要約】【課題】グリップの持ち方を色々と変えることができ、多様な遊びに使用することができる縄跳びを提供すること。【解決手段】紐体１０の２つの端部のそれぞれにグリップ５０が付設された縄跳び１００において、前記グリップ５０は、片手で把持可能なメイングリップ５１と、前記メイングリップ５１に連結され前記メイングリップ５１とは別個に片手で把持可能なサブグリップ５２とを備えている、ことを特徴とする。【選択図】  図１
0003207932.tif 000002
【実用新案登録請求の範囲】
【請求項１】
紐体の２つの端部のそれぞれにグリップが付設された縄跳びにおいて、
前記グリップは、片手で把持可能なメイングリップと、前記メイングリップに連結され前記メイングリップとは別個に片手で把持可能なサブグリップと、
を備えていることを特徴とする縄跳び。
【請求項２】
前記サブグリップの各端は、前記メイングリップに連結されていることを特徴とする請求項１に記載の縄跳び。
【請求項３】
前記サブグリップは弧状に形成されていることを特徴とする請求項２に記載の縄跳び。
【請求項４】
前記紐体は導光性を有し、前記グリップには、発光部と、この発光部の発光を制御する発光制御手段とが配設され、前記発光部からの光を前記紐体内に導いて前記紐体を光らせるように構成されていることを特徴とする請求項１から請求項３のいずれか一項に記載の縄跳び。
【考案の詳細な説明】
【技術分野】
【０００１】
本考案は、縄跳びに関するものである。
【背景技術】
【０００２】
従来、紐体と、この紐体の２つの端部のそれぞれに付設されたグリップとを備えた縄跳びが知られている（例えば、特許文献１参照）。
この縄跳びでは、グリップは、直棒状（円柱状）に形成されていて紐体の中心線の延長線上に配設されている。
【先行技術文献】
【特許文献】
【０００３】
【特許文献１】特開２００９−２４３５１号公報
【考案の概要】
【考案が解決しようとする課題】
【０００４】
しかしながら、この縄跳びでは、グリップは単に直棒状となっているだけなので、グリップを持つ場合には、グリップを順手で把持するか、逆手で把持するほかはなかった。そのため、縄跳びを使用した遊びが限定されていた。
【０００５】
本考案は、かかる問題点に鑑みなされたもので、グリップの持ち方を色々と変えることができ、多様な遊びに使用することができる縄跳びを提供することを目的としている
【課題を解決するための手段】
【０００６】
第１の手段は、
紐体の２つの端部のそれぞれにグリップが付設された縄跳びにおいて、
前記グリップは、片手で把持可能なメイングリップと、前記メイングリップに連結され前記メイングリップとは別個に片手で把持可能なサブグリップと、を備えていることを特徴とする。
【０００７】
第２の手段は、第１の手段において、前記サブグリップの各端は、前記メイングリップに連結されていることを特徴とする。
【０００８】
第３の手段は、第２の手段において、前記サブグリップは弧状に形成されていることを特徴とする。
【０００９】
第４の手段は、第１の手段から第３の手段のいずれか一の手段において、前記紐体は導光性を有し、前記グリップには、発光部と、この発光部の発光を制御する発光制御手段とが配設され、前記発光部からの光を前記紐体内に導いて前記紐体を光らせるように構成されていることを特徴とする。
【考案の効果】
【００１０】
第１の手段によれば、メイングリップとは別個に把持可能なサブグリップを備えているので、サブグリップがある分だけ持ち方が増える。そのため、縄跳びを使用した遊びのバリエーションが増えることになる。
【００１１】
第２の手段によれば、サブグリップの各端はメイングリップに連結されているので、メイングリップとサブグリップとによって形成される空間に指や手を挿入した形でグリップを引っ掛けて持つこともできる。そのため、持ち方がさらに増える。
また、サブグリップの各端はメイングリップに連結されているので、紐体を回したり振ったりしている間に誤って手からグリップが外れてしまうことを防止することができる。
【００１２】
第３の手段によれば、サブグリップは孤状に形成されているので、サブグリップのどの個所でも把持できることから、サブグリップの把持が容易となる。
【００１３】
第４の手段によれば、紐体が発光部によって照明されるので、興趣性の高い縄跳びが実現できる。
【図面の簡単な説明】
【００１４】
【図１】本考案の実施形態に係る縄跳びの外観を示した模式的な斜視図である。
【図２】（Ａ）〜（Ｄ）は、図１の縄跳びのグリップの持ち方の例を示した模式的な図である。
【図３】図１の縄跳びのグリップを示した斜視図である。
【図４】図１の縄跳びのグリップの内部構造を示した図である。
【図５】図１の縄跳びのグリップの先端部を示した分解斜視図である。
【図６】図１の縄跳びの制御構成を示したブロック図である。
【考案を実施するための形態】
【００１５】
以下、本考案の実施形態について説明する。
【００１６】
《全体構成》
図１は縄跳びの外観を示した模式的な斜視図である。
この縄跳び１００は、紐体１０と、紐体１０の各端部に付設されたグリップ５０とを備えている。このうちグリップ５０は、メイングリップ５１とサブグリップ５２とを備えている。
この縄跳び１００では、図２（Ａ）に示すようにメイングリップ５１を順手で握ったり、図２（Ｂ）に示すようにサブグリップ５２を順手で握ったり、図２（Ｃ）に示すようにメイングリップ５１とサブグリップ５２との隙間に親指だけを挿入したり、図２（Ｄ）に示すようにメイングリップ５１とサブグリップ５２との隙間に人差し指だけを挿入したりしてグリップ５０を手に持つことができる。この状態で、グリップ５０を動作させることによって紐体１０を回したり、振ったりして遊ぶことができる。
また、グリップ５０に付設されたボタン５３（図３参照）を操作することで、グリップ５０の先端部や紐体１０を光らせることができる。
なお、グリップ５０の持ち方はこれに限定されない。例えば、メイングリップ５１やサブグリップ５２を逆手で持つこともできる。また、遊び方もグリップ５０を持つものに限定されない。例えば、紐体１０を持ってグリップ５０側を回したり、振ったりすることもできる。
【００１７】
《細部構成》
１．紐体１０について
紐体１０は特に限定はされないがＴＰＵ（熱可塑性ポリウレタン(Thermoplastic Polyurethane)）から形成され、断面が円形に形成されている。この紐体１０は導光性を有している。
【００１８】
２．グリップ５０について
図３はグリップ５０の斜視図である。紐体１０の各端部に付設されるグリップ５０は同じ構造を有している。したがって、１つだけを説明し、他の１つの説明は省略する。
このグリップ５０は、紐体１０の中心線（軸線）上に配置されるメイングリップ５１と、メイングリップ５１の隣に配置されるサブグリップ５２とから構成されている。メイングリップ５１とサブグリップ５２とは一体に形成され、グリップ５０の本体はメイングリップ５１及びサブグリップ５２が半割可能に形成されている。
このうちメイングリップ５１は全体として直棒状（円柱状）に形成されている。このメイングリップ５１の先端部にはカバー体５４が付設されている。
このカバー体５４は、メイングリップ５１の段状の先端部に外嵌される。すなわち、カバー体５４とメイングリップ５１の段状の先端部とを突き合わせ、メイングリップ５１を中心に一方向にカバー体５４を回転させることにより、メイングリップ５１の外向きの突片５１ｃ，５１ｃがカバー体５４の図示しない内向きの突片に係合する。また、突片５１ｃ，５１ｃがカバー体５４の図示しない内向きの突片に係合した際に、メイングリップ５１の先端部の突起５１ａがカバー体５４の孔５４ｂに嵌合する。これによってカバー体５４は、メイングリップ５１に固定される。ここで、突起５１ａは図示しないスプリングによって外方に向けて付勢されており、カバー体５４をメイングリップ５１から取り外すには、突起５１ａを押し込んで他方向にカバー体５４を回転させる。
【００１９】
カバー体５４は透明又は乳白色であり、カバー体５４の内側には図４及び図５に示すキャップ５５が配置されている。キャップ５５は、先端側の段状且つ小径の筒状部５５ａと、中間部の拡径部５５ｂと、後端側の大径の筒状部５５ｃとから構成されている。大径の筒状部５５ｃには中心軸を挟んで対向する２つの箇所それぞれに半径方向外方に張り出す翼状の張出し部５５０ｃが形成されている。
キャップ５５の内側にはキャップ５５の外形に対応した形状の空間が形成されている。この空間はキャップ５５の先端及び後端に開口している。図５には、先端開口が符号５５０ａで示されている。そして、このキャップ５５は、筒状部５５ａの先端開口５５０ａから紐体１０が内部に導入できるようにされている。なお、図４に示すように、キャップ５５の先端の筒状部５５ａはカバー体５４の先端面の孔５４ａから僅かながら突出している。
また、キャップ５５の内側には一対の挟持片５６ａ，５６ｂが配置されている。この一対の挟持片５６ａ，５６ｂによって紐体１０が挟持される。一方の挟持片５６ａには翼状の２つの張出し部５６０ａが形成され、各張出し部５６０ａには突起５６１ａが形成されている。また、他方の挟持片５６ｂには翼状の２つの張出し部５６０ｂが形成され、各張出し部５６０ｂには、上記突起５６１ａに嵌合する凹部５６１ｂが形成されている。そして、挟持片５６ａと挟持片５６ｂとの間に紐体１０を入れ、突起５６１ａと凹部５６１ｂとを嵌合することによって、紐体１０が挟持される。
この一対の挟持片５６ａ，５６ｂの後端部にはリング５７が外嵌される。この外嵌の際、リング５７の張出し部５７ａ，５７ａが張出し部５６０ａ，５６０ｂに外嵌される。このリング５７によって一対の挟持片５６ａ，５６ｂの紐体１０の挟持状態が保持される。
【００２０】
図４にはグリップ５０の半部が示されている。メイングリップ５１には電池収容室９０が形成されている。この電池収容室９０には特に限定はされないが単４の電池が２本収容可能となっている。なお、図３において符号９０ａは電池蓋であり、また、図４においては電池収容室９０の底板は省略してある。
また、メイングリップ５１には、電池収容室９０とカバー体５４との間に、配線基板９１が配置されている。この配線基板９１には各種電子部品及び電気部品が実装されている。電気部品には後述のスイッチ６３が含まれている。
さらに、メイングリップ５１にはボタン５３が設けられている。ボタン５３はサブグリップ５２の反対側に位置している。ボタン５３の頭はメイングリップ５１の外郭から突出している。
また、メイングリップ５１には、上記配線基板９１の配線に接続された発光部６４が配設されている。この発光部６４は、紐体１０の端面に対向するようにメイングリップ５１の先端の窓５１ｂ（図５参照）に対応する位置に設けられている。発光部６４からの光は、紐体１０の端部から導入され、この紐体１０に導入された光によって、透明な挟持部材５６ａ，５６ｂ、キャップ５５及びカバー体５４を介して出射されグリップ５０の先端部を光らせるとともに、紐体１０を光らせるようにされている。
【００２１】
サブグリップ５２は孤状に形成されている。このサブグリップ５２の各端はメイングリップ５１に連結されている。
【００２２】
３．制御構成について
続いて、図６を使用して縄跳び１００の制御構成について説明する。
図６は、縄跳び１００の機能構成例を示すブロック図である。同図に示すように、縄跳び１００は、記憶部６１と、制御部６２と、スイッチ６３、発光部６４とを備える。このうちスイッチ６３はボタン５３に対応した箇所に設けられ、ボタン５３の押圧の有無状態を検出する。発光部６４は例えば発光ダイオードで構成される。
【００２３】
記憶部６１は、ＲＯＭやＲＡＭといった各種ＩＣメモリ等の情報記録媒体等によって実現されるものである。この記憶部６１には、発光制御プログラム６１ａや、このプログラムの実行中に使用されるデータ等が予め格納される。
【００２４】
制御部６２は、ＣＰＵから構成され、制御構成各部を統括制御するもので、上記発光制御プログラム６１ａと協働して発光制御部６２ａとして機能する。
具体的には、ボタン５３が１回押されるとスイッチ６３の検出信号が制御部６２に送られ、制御部６２は、発光制御プログラム６１ａに従って、発光部６４を点灯し続ける。また、制御部６２は、さらに１回ボタン５３が押されると、スイッチ６３の検出信号が制御部６２に送られ、制御部６２は、発光制御プログラム６１ａに従って、発光部６４を点滅させ続ける。また、制御部６２は、さらに１回ボタン５３が押されると、スイッチ６３の検出信号が制御部６２に送られ、制御部６２は、発光制御プログラム６１ａに従って、発光部６４をゆっくりと点滅させ続ける。なお、制御部６２は、ボタン５３が長押しされると、発光部６４を消灯させる。
【００２５】
４．実施形態の効果
この縄跳び１００によれば、次のような効果を得ることができる。
すなわち、この縄跳び１００によれば、メイングリップ５１のほかにサブグリップ５２を備えるので、サブグリップ５２がある分だけ持ち方が増える。そのため、縄跳びを使用した遊びのバリエーションが増えることになる。具体的には、ダンス等の補助具としても縄跳び１００を利用することができる。
【００２６】
また、サブグリップ５２の各端はメイングリップ５１に連結されているので、メイングリップ５１とサブグリップ５２とによって形成される空間に図２（Ｃ）や図２（Ｄ）に示すように指や手を挿入した形でグリップを引っ掛けて持つこともできるとともに、紐体１０を回したり振ったりしている間に誤って手からグリップ５０が外れてしまうことを防止することができる。
【００２７】
さらに、サブグリップ５２は孤状に形成されているので、サブグリップ５２のどの個所でも把持できることから、サブグリップ５２の把持が容易となる。
【００２８】
《考案の変形例》
以上、本考案の実施形態について説明したが、本考案は、かかる実施形態に限定されず、その要旨を逸脱しない範囲で変形可能であることは言うまでもない。
例えば、上記実施形態では、サブグリップ５２を孤状としたが、メイングリップ５１とは別個独立して把持できるものであればその形状は問わない。サブグリップ５２の一端だけがメイングリップ５１に連結され、他端がフリーとなっているものでもよい。
【符号の説明】
【００２９】
１０   紐体
５０   グリップ
５１   メイングリップ
５２   サブグリップ
５３   ボタン
５４   カバー体
５５   キャップ
５６   挟持片
５７   リング
６４   発光ダイオード
１００ 縄跳び
【図１】
0003207932.tif 000003
【図２】
0003207932.tif 000004
【図３】
0003207932.tif 000005
【図４】
0003207932.tif 000006
【図５】
0003207932.tif 000007
【図６】
0003207932.tif 000008